(57)【要約】【課題】  電子の逃げを遮断し、より多くの電子を血液に作用させることができる磁石付き履物を提供する。【解決手段】  履物に永久磁石を取り付ける。その際、該永久磁石はＮ極とＳ極とで形成する磁束が履物表面から履物上の足の内部方向に向かって隆起するように取りつけられ、且つ該磁束を臨む位置に、概ね磁束方向と直交する方向に面を交差させて、非磁性電導金属部材が配置されており、履いた際足の内部の血液が磁束内を通過することにより、磁束及び血液の流れの向きに対して直交方向に生じる電界を前記非磁性電導金属部材で遮断して電子の漏洩を阻止し、該電子を血液に作用させることを特徴とする磁石付き履物を提供する。【選択図】      図１
2005246018.tif 000002
【特許請求の範囲】
【請求項１】
履物に永久磁石を取り付ける。その際、該永久磁石はＮ極とＳ極とで形成する磁束が履物表面から履物上の足の内部方向へ隆起するように取り付けられ、且つ該磁束を臨む位置に、磁束方向と直交する方向に面を交差させて、非磁性電導金属部材が配置されており、履いた際に足の内部の血液が磁束内を通過することにより、磁束及び血液の流れの向きに対して直交方向に生じる電界を前記非磁性電導金属部材で遮断して電子の漏洩を阻止し、該電子を血液に作用させることを特徴とする磁石付き履物。
【請求項２】
非磁性電導金属部材を磁束を挟んで対にして対向させて配置したことを特徴とする請求項１に記載の磁石付き履物。
【請求項３】
永久磁石を履物の低部に取り付け、非磁性電導金属部材を側部に配置したことを特徴とする請求項１〜２のいずれかに記載の磁石付き履物。
【請求項４】
二つの永久磁石の其々のＮ極とＳ極とを対にして対向させて取り付けたことを特徴とする請求項１〜３のいずれかに記載の磁石付き履物。
【請求項５】
非磁性電導金属部材が水素の標準電極電位よりも電位の高い金属であることを特徴とする請求項１〜４のいずれかに記載の磁石付き履物。
【請求項６】
非磁性電導金属部材を構成する素材が金、銀又は胴であることを特徴とする請求項１〜５のいずれかに記載の磁石付き履物。
【請求項７】
非磁性電導金属部材の面が板状部材又は網状部材又は金属粒子の他部材面への蒸着又は他部材面への鍍金で形成されていることを特徴とする１〜６のいずれかに記載の磁石付き履物。
【請求項８】
靴、サンダル、スリッパ、靴の中敷、靴下、足袋である請求項１〜７のいずれかに記載の磁石付き履物。
【発明の詳細な説明】
【技術分野】
【０００１】  本発明は永久磁石を取り付けた履物に関する。
【背景技術】
【０００２】  従来から履物の低部などに永久磁石を取り付けて，足を流れる血液に電気を帯びさせるものは有った。これは磁石の磁束内を足の血液が通る時、磁束の方向と流れる血液の方向とに直交して生じる電界が血液に作用して、それが人体に良い作用を及ぼすと言う考えによるものであった。この原理は公知のものであり、広く一般に知られている。しかし乍ら、従来の方法では電子即ちマイナスイオンが電界の発生方向と同じ方向に逃げてしまい、血液への作用は十分なものではなかった。
【発明が解決しようとする課題】
【０００３】  本発明は上記の問題を解決するもので、電子の逃げを遮断し、より多くの電子を血液に作用させることを課題とする。
【課題を解決するための手段】
【０００４】  上記課題を解決するために、本発明は次ぎの如き、磁石付き履物を提供する。
１、履物に永久磁石を取り付ける。その際、該永久磁石はＮ極とＳ極とで形成する磁束が履物表面から履物上の足の内部方向へ隆起するように取り付けられ、且つ該磁束を臨む位置に、概ね磁束方向と直交する方向に面交差させて、非磁性電導部材が配置されており、履いた際に足の内部の血液が磁束内を通過することにより、磁束及び血液の流れの向きに対して直交方向に生じる電界を前記非磁性電導金属卯材で遮断して電子の漏洩を阻止し、該電子を血液に作用させることを特徴とする磁石付き履物。
【発明実施の形態】
【０００５】  以下、図面を参照しながら本発明の各態様に係る磁石付き履物に関して説明する。以下の説明は、本発明の技術思想を具現化する幾つかの具体例を説明するものであり、本発明は以下の説明に限定されるものではない。
【０００６】  図１は本発明の一態様に係る斜視図（ａ）と断面図（ｂ）である。本図では説明の為にスリッパを例図とする。図１に示すスリッパは底部１とカバー２と永久磁石３と非磁性電導金属部材４とで構成されている．この際、永久磁石３のＮ極とＳ極とで形成される磁束５が履物から隆起して履物上の足の内部に届くように取り付けられている。これは磁束５が足の内部に作用するための必須条件である。そして又、非磁性電導金属部材４は永久磁石３の磁束５を臨む位置に該磁束５を挟んで且つ概ね直交する方向に面を交差且つ対向させて配置されている。この場合、向かい合う非磁性電導金属部材４の面は平行に対向させる必要は無く、角度を有して対向していても構わない。又片側だけに配置してもその分の効果は生じる。図１ではカバー２の側部に配置されている。
【０００７】  作用に就いて説明すれば、永久磁石３と非磁性電導金属４が上述の様に配置されていると、磁束５内を足内部の血液が矢印６の方向に流れると起電流が発生し、この起電流は磁束５の縦方向部分７と血液の流れ（矢印６）に対して直交する方向に、即ち矢印８にて示される、非磁性電導金属部材４の面に交差する方向に流れる。
【０００８】  この起電流の強度は磁束密度と電極距離と血液の流速に比例するものであり、次式に表すことが出来る。
Ｅ＝Ｋ・ＢｄＶ
Ｅ：起電流  Ｋ：定数  Ｂ：磁束密度  ｄ：電極距離  Ｖ：血液の流速
【０００９】  この起電流を放電損失の無い様に誘導帯電させ、この帯電により生じた電子即ちマイナスイオンを流れる血液中に効率良く放出（図１の矢印９）させるために配置されているのが上述の非磁性電導金属部材４であり、実施上は素材として、電位の高い金属の板材が使用されることが好ましい。この場合、特に水素の標準電極電位よりも電位の高い貴金属例えば金又は銀または銅を使用すると効果は更に高まる。これらの金属のうち銅を使用した場合、更なる効果をえるためには銅板の外側に電位の低い金属板を重ねて接合すると良い。このようにすると（接触電池作用）により電位の高い金属はより貴になり、電位の低い金属はより卑となり、電子の放出が促進されることとなる。この原理は公知であり広く認識されている。血液中に放出された電子は血液中の水分子（Ｈ２Ｏ）の一部を構成する酸素が電子受容体である為に、この酸素に電荷を与えて水の双極性を高めて水素原子の結合角を広くすることにより、水分子間の集合密度を増加せしめ、クラスターを小さくし、又酸化還元電位も下げることができるのである。上記のように本発明は流れる血液に磁力を作用させると共に電子を作用させ、この二つの作用により血液を活性化させるものである。
【００１０】  図２は他の態様に係る磁石付き履物の構造を示す断面図である。図２に示す磁石付き履物は二つの永久磁石３の其々のＮ極とＳ極とを対向させて配置したものである。このようにすると磁束５の範囲を大きくすることと、曲がりを小さくすることができるので、電子の放出効果をより高めることができる。実施上、永久磁石３の取りつけ位置及び取りつけ個数は任意であり上記条件が満たされる位置であれば非磁性電導金属部材４の配置位置も任意である。又実施上、非磁性電導金属部材４は板状又は網状又は他部材面への金属粒の蒸着又は他部材面への鍍金のいずれも選択できる。寸法的には幅は磁束５の幅以上であることが好ましく、厚みは製作上１ｍｍ以下が好ましい。又非磁性電導金属部材を履物の低部から側部、上部に亘り連続させて環状に配置しても良い。このようにすると電子の漏洩をより阻止できるので好ましい。又非磁性電導金属部材４をプラスチックでコーティングしても良い。このようにすると銅などを使用した際に生ずる錆を防ぐことができる。又２つの永久磁石のＮ極とＳ極とを同一方向を向けて並べて配置しても良い。
【００１１】  上記において、本発明の磁石付き履物について言及したが、上記の説明に限定されることなく、形状、寸法等は適宜経験的に決定することができる。
【発明の効果】
【００１２】  本発明に係る磁石付き履物によれば、履いている間に磁石の作用と電子の作用により、血液を活性化させることができる。
【図面の簡単な説明】
【図１】  本発明の一態様に係る磁石付き履物の形態を示す斜視図（ａ）と構造を示す断面図（ｂ）である。
【図２】  本発明の一態様に係る磁石付き履物の構造を示す断面図である。
【符号の説明】
１  履物の底部
２  カバー
３  永久磁石
４  非磁性電導金属部材
５  磁束
６  血液の流れ方向
７  磁束の縦方向部分
８  起電流の流れる方向
９  電子の放出される方向
【図１】
2005246018.tif 000003
【図２】
2005246018.tif 000004